(57)【要約】無線通信システムにおける１対多サービスを受信できるＵＥの制御方法は、１対多サービスに加入する段階と、修正された１対多制御情報をネットワークから特定周期中に受信する段階とを含み、ここで、１対多制御情報は、前記ネットワークにおいて少なくとも修正された１対多制御情報と修正されていない１対多制御情報に分離されることを特徴とする。また、前記方法は、前記修正された１対多制御情報が前記１対多サービスを受信可能にする前記１対多サービス関連情報を含んでいるか否かを判断する段階を含む。
2008517483.tif 000002
【特許請求の範囲】
【請求項１】
１対多サービスに加入する段階と、
修正された１対多制御情報をネットワークから特定周期中に受信する段階と、
前記修正された１対多制御情報が前記１対多サービスを受信可能にする前記１対多サービスの関連情報を含んでいるか否かを判断する段階と
を含み、
１対多制御情報は、前記ネットワークにおいて少なくとも修正された１対多制御情報と修正されていない１対多制御情報に分離されることを特徴とする無線通信システムにおける１対多サービスを受信できるＵＥの制御方法。
【請求項２】
前記特定周期は、複数のサブ周期（ｓｕｂ−ｐｅｒｉｏｄ）を含むことを特徴とする請求項１に記載の無線通信システムにおける１対多サービスを受信できるＵＥの制御方法。
【請求項３】
前記特定周期は、修正周期であることを特徴とする請求項２に記載の無線通信システムにおける１対多サービスを受信できるＵＥの制御方法。
【請求項４】
前記サブ周期は、繰り返し周期であることを特徴とする請求項２に記載の無線通信システムにおける１対多サービスを受信できるＵＥの制御方法。
【請求項５】
前記修正された１対多制御情報は、変更インジケータ及び前記変更インジケータに関する更新された制御情報を含むことを特徴とする請求項１に記載の無線通信システムにおける１対多サービスを受信できるＵＥの制御方法。
【請求項６】
前記変更インジケータは、前記特定周期に修正された１対多サービスのリストを含むことを特徴とする請求項５に記載の無線通信システムにおける１対多サービスを受信できるＵＥの制御方法。
【請求項７】
前記修正されていない１対多制御情報は、非変更インジケータ及び前記非変更インジケータに関する更新されていない制御情報を含むことを特徴とする請求項６に記載の無線通信システムにおける１対多サービスを受信できるＵＥの制御方法。
【請求項８】
前記非変更インジケータは、前記特定周期に修正されていない１対多サービスのリストを含むことを特徴とする請求項７に記載の無線通信システムにおける１対多サービスを受信できるＵＥの制御方法。
【請求項９】
前記１対多制御情報が以前の特定周期に適切に受信されたか否かを判断する段階をさらに含むことを特徴とする請求項８に記載の無線通信システムにおける１対多サービスを受信できるＵＥの制御方法。
【請求項１０】
前記１対多制御情報が前記以前の特定周期に適切に受信された場合、前記変更インジケータに基づいて前記特定周期に前記更新された制御情報を受信するか否かを判断する段階をさらに含むことを特徴とする請求項９に記載の無線通信システムにおける１対多サービスを受信できるＵＥの制御方法。
【請求項１１】
前記１対多制御情報が前記以前の特定周期に適切に受信されなかった場合、前記変更インジケータ及び前記非変更インジケータに基づいて前記特定周期に前記更新された制御情報及び前記更新されていない制御情報を受信するか否かを判断する段階をさらに含むことを特徴とする請求項９に記載の無線通信システムにおける１対多サービスを受信できるＵＥの制御方法。
【請求項１２】
前記ネットワークから前記特定周期中に前記修正されていない１対多制御情報を受信する段階をさらに含むことを特徴とする請求項１に記載の無線通信システムにおける１対多サービスを受信できるＵＥの制御方法。
【請求項１３】
前記修正されていない１対多制御情報が前記１対多サービスを受信可能にする前記１対多サービスの関連情報を含んでいるか否かを判断する段階をさらに含むことを特徴とする請求項１２に記載の無線通信システムにおける１対多サービスを受信できるＵＥの制御方法。
【請求項１４】
前記修正された１対多制御情報は、１対多サービス情報を含むことを特徴とする請求項１に記載の無線通信システムにおける１対多サービスを受信できるＵＥの制御方法。
【請求項１５】
前記修正されていない１対多制御情報は、１対多サービス情報を含むことを特徴とする請求項１に記載の無線通信システムにおける１対多サービスを受信できるＵＥの制御方法。
【請求項１６】
前記修正された１対多制御情報が適切に受信されなかった場合、前記特定周期中に前記修正された１対多制御情報を再び受信する段階をさらに含むことを特徴とする請求項１に記載の無線通信システムにおける１対多サービスを受信できるＵＥの制御方法。
【請求項１７】
前記修正されていない１対多制御情報が適切に受信されなかった場合、前記特定周期中に前記修正されていない１対多制御情報を再び受信する段階をさらに含むことを特徴とする請求項１２に記載の無線通信システムにおける１対多サービスを受信できるＵＥの制御方法。
【請求項１８】
前記修正された１対多制御情報は、前記特定周期中に周期的に受信されることを特徴とする請求項１に記載の無線通信システムにおける１対多サービスを受信できるＵＥの制御方法。
【請求項１９】
前記修正された１対多制御情報は、繰り返し周期毎に１回受信されることを特徴とする請求項４に記載の無線通信システムにおける１対多サービスを受信できるＵＥの制御方法。
【請求項２０】
前記修正された１対多制御情報は、前記特定周期中に変更されないことを特徴とする請求項１に記載の無線通信システムにおける１対多サービスを受信できるＵＥの制御方法。
【請求項２１】
前記修正されていない１対多制御情報は、前記特定周期中に周期的に受信されることを特徴とする請求項１２に記載の無線通信システムにおける１対多サービスを受信できるＵＥの制御方法。
【請求項２２】
前記ネットワークは、ＵＴＲＡＮ（ＵＴＭＳ  ｔｅｒｒｅｓｔｒｉａｌ  ｒａｄｉｏ  ｎｅｔｗｏｒｋ）であることを特徴とする請求項１に記載の無線通信システムにおける１対多サービスを受信できるＵＥの制御方法。
【請求項２３】
前記ＵＥと前記ネットワーク間に１対多サービス接続を設定する段階をさらに含むことを特徴とする請求項１に記載の無線通信システムにおける１対多サービスを受信できるＵＥの制御方法。
【請求項２４】
１対多制御情報を少なくとも修正された１対多制御情報と修正されていない１対多制御情報に分離する段階と、
特定周期中に前記修正された１対多制御情報を周期的に前記ＵＥに伝送する段階と
を含むことを特徴とする無線通信システムにおいて１対多サービスを受信できるＵＥのネットワークにおける制御方法。
【請求項２５】
前記修正された１対多制御情報は、変更インジケータ及び前記変更インジケータに関する更新された制御情報を含むことを特徴とする請求項２４に記載の無線通信システムにおいて１対多サービスを受信できるＵＥのネットワークにおける制御方法。
【請求項２６】
前記特定周期中に前記修正されていない１対多制御情報を前記ＵＥに伝送する段階をさらに含むことを特徴とする請求項２４に記載の無線通信システムにおいて１対多サービスを受信できるＵＥのネットワークにおける制御方法。
【請求項２７】
前記特定周期は、複数のサブ周期を含むことを特徴とする請求項２４に記載の無線通信システムにおいて１対多サービスを受信できるＵＥのネットワークにおける制御方法。
【請求項２８】
前記特定周期は、修正周期であることを特徴とする請求項２７に記載の無線通信システムにおいて１対多サービスを受信できるＵＥのネットワークにおける制御方法。
【請求項２９】
前記サブ周期は、繰り返し周期であることを特徴とする請求項２７に記載の無線通信システムにおいて１対多サービスを受信できるＵＥのネットワークにおける制御方法。
【請求項３０】
前記変更インジケータは、前記特定周期に修正された１対多サービスのリストを含むことを特徴とする請求項２５に記載の無線通信システムにおいて１対多サービスを受信できるＵＥのネットワークにおける制御方法。
【請求項３１】
前記修正されていない１対多制御情報は、非変更インジケータ及び前記非変更インジケータに関する更新されていない制御情報を含むことを特徴とする請求項２４に記載の無線通信システムにおいて１対多サービスを受信できるＵＥのネットワークにおける制御方法。
【請求項３２】
前記非変更インジケータは、前記特定周期に変更されなかった１対多サービスのリストを含むことを特徴とする請求項３１に記載の無線通信システムにおいて１対多サービスを受信できるＵＥのネットワークにおける制御方法。
【請求項３３】
前記１対多サービスに加入するための手段と、
特定周期中にネットワークから修正された１対多制御情報を受信するための手段と、
前記修正された１対多制御情報が前記１対多サービスを受信可能にする前記１対多サービスの関連情報を含んでいるか否かを判断するための手段と
を含み、
１対多制御情報は、前記ネットワークにおいて少なくとも修正された１対多制御情報と修正されていない１対多制御情報に分離されることを特徴とする無線通信システムにおける１対多サービスを受信できるＵＥ。
【請求項３４】
前記修正された１対多制御情報は、変更インジケータ及び前記変更インジケータに関する更新された制御情報を含むことを特徴とする請求項３３に記載の無線通信システムにおける１対多サービスを受信できるＵＥ。
【請求項３５】
前記特定周期中に前記ネットワークから前記修正されていない１対多制御情報を受信するための手段をさらに含むことを特徴とする請求項３３に記載の無線通信システムにおける１対多サービスを受信できるＵＥ。
【請求項３６】
１対多制御情報を少なくとも修正された１対多制御情報と修正されていない１対多制御情報に分離するための手段と、
前記修正された１対多制御情報を特定周期中に周期的に前記ＵＥに伝送するための手段と
を含むことを特徴とする無線通信システムにおける１対多サービスを受信できるＵＥを制御するためのネットワーク。
【請求項３７】
前記修正された１対多制御情報は、変更インジケータ及び前記変更インジケータに関する更新された制御情報を含むことを特徴とする請求項３６に記載の無線通信システムにおける１対多サービスを受信できるＵＥを制御するためのネットワーク。
【請求項３８】
前記修正されていない１対多制御情報を前記特定周期中に前記ＵＥに伝送するための手段をさらに含むことを特徴とする請求項３６に記載の無線通信システムにおける１対多サービスを受信できるＵＥを制御するためのネットワーク。
【発明の詳細な説明】
【技術分野】
【０００１】
本発明は、無線通信システムにおける１対多（Ｐｏｉｎｔ−Ｔｏ−Ｍｕｌｔｉｐｏｉｎｔ）サービスに関し、特に、１対多サービスのための制御メッセージに関する。
【背景技術】
【０００２】
一般に、移動通信システムは、有線通信システムほど大容量のデータを扱うことができない。ＩＭＴ−２０００は、大量のデータ通信のために考案された無線通信システムである。
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術を基盤としてより向上した無線通信サービスの提供を目標とする。
【０００４】
ＵＭＴＳの標準化作業のために１９９８年１２月にヨーロッパのＥＴＳＩ、日本のＡＲＩＢ／ＴＴＣ、米国のＴ１、及び韓国のＴＴＡなどは、ＵＭＴＳの詳細な標準仕様（Ｓｐｅｃｉｆｉｃａｔｉｏｎ）を作成するために、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ：  ３ＧＰＰ）というプロジェクトを構成した。
【０００５】
３ＧＰＰＰでは、独立的な動作を有するネットワーク要素を構成するために、ＵＭＴＳの標準化作業を５つの技術規格グループ（Ｔｅｃｈｎｉｃａｌ  Ｓｐｅｃｉｆｉｃａｔｉｏｎ  Ｇｒｏｕｐｓ：  ＴＳＧ）に分けて進めている。
【０００６】
各ＴＳＧは、関連したエリア内で標準規格の開発、承認、及びその管理を担当するが、そのうち、無線アクセスネットワーク（Ｒａｄｉｏ  Ａｃｃｅｓｓ  Ｎｅｔｗｏｒｋ：  ＲＡＮ）グループ（ＴＳＧ  ＲＡＮ）は、ＵＭＴＳにおいてＷＣＤＭＡ接続技術をサポートするための新しい無線アクセスネットワークであるＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の機能、要求事項、及びインタフェースに関する規格を開発する。
【０００７】
図１は、ＵＭＴＳネットワーク構造を示すブロック図である。
【０００８】
図１に示すように、前記ＵＭＴＳは、端末（又は、ユーザ装置（ＵＥ））と、ＵＴＲＡＮ１００と、コアネットワーク（ＣＮ）２００とから構成される。
【０００９】
前記ＵＴＲＡＮ１００は、１つ以上の無線ネットワークサブシステム（Ｒａｄｉｏ  Ｎｅｔｗｏｒｋ  Ｓｕｂｓｙｓｔｅｍｓ：ＲＮＳ）１１０、１２０から構成され、各ＲＮＳ１１０、１２０は、無線ネットワーク制御装置（Ｒａｄｉｏ  Ｎｅｔｗｏｒｋ  Ｃｏｎｔｒｏｌｌｅｒ：ＲＮＣ）１１１並びに前記ＲＮＣ１１１により管理される複数の基地局（以下、Ｎｏｄｅ  Ｂという）１１２、１１３を含む。各Ｎｏｄｅ  Ｂには、１つ以上のセルが存在する。
【００１０】
図２は、ＵＭＴＳにおいて使用される無線プロトコルアーキテクチャを示す図である。
【００１１】
図２に示すように、前記無線インタフェースプロトコルは、水平的には物理層と、データリンク層と、ネットワーク層とから構成され、垂直的にはデータ情報の転送のためのユーザプレーン（Ｕｓｅｒ  Ｐｌａｎｅ：  Ｕ−ｐｌａｎｅ）と、制御情報の転送のための制御プレーン（Ｃｏｎｔｒｏｌ  Ｐｌａｎｅ：  Ｃ−ｐｌａｎｅ）とから構成される。前記ユーザプレーンは、音声やＩＰパケットのようなユーザーのトラヒック情報を取り扱う領域であり、前記制御プレーンは、ネットワークのインタフェース、呼の維持及び管理などに関する制御情報を取り扱う領域である。
【００１２】
図２において、プロトコル層は、通信分野で周知の開放型システム間相互接続（Ｏｐｅｎ  Ｓｙｓｔｅｍ  Ｉｎｔｅｒｃｏｎｎｅｃｔｉｏｎ：  ＯＳＩ）参照モデルの下位３層に基づいて第１層Ｌ１、第２層Ｌ２、第３層Ｌ３に区分される。
【００１３】
以下、図２に示す各層を詳細に説明する。
【００１４】
第１層Ｌ１、すなわち、物理層は、物理チャネルを利用して上位層に情報転送サービス（Ｉｎｆｏｒｍａｔｉｏｎ  Ｔｒａｎｓｆｅｒ  Ｓｅｒｖｉｃｅ）を提供する。物理層は、上位層である媒体アクセス制御（Ｍｅｄｉａ  Ａｃｃｅｓｓ  Ｃｏｎｔｒｏｌ：  ＭＡＣ）層にトランスポートチャネル（Ｔｒａｎｓｐｏｒｔ  Ｃｈａｎｎｅｌ）で接続される。前記トランスポートチャネルで前記ＭＡＣ層と物理層との間に信号が送受信される。
【００１５】
第２層Ｌ２は、ＭＡＣ層と無線リンク制御（Ｒａｄｉｏ  Ｌｉｎｋ  Ｃｏｎｔｒｏｌ：  ＲＬＣ）層を含む。
【００１６】
前記ＭＡＣ層は、無線リソースの割り当て及び再割り当てのためにＭＡＣパラメータの割り当てを提供し、上位層であるＲＬＣ層と論理チャネルで接続される。転送情報の種類によって多様な論理チャネルが提供される。一般に、制御プレーンの情報を転送する場合は制御チャネルが利用され、ユーザプレーンの情報を転送する場合はトラヒックチャネルが利用される。
【００１７】
前記ＲＬＣ層は、信頼性のあるデータ伝送をサポートし、上位層からのＲＬＣ  ＳＤＵ（ｓｅｒｖｉｃｅ  ｄａｔａ  ｕｎｉｔ）の分割（ｓｅｇｍｅｎｔａｔｉｏｎ）及び連結（ｃｏｎｃａｔｅｎａｔｉｏｎ）機能を実行する。
【００１８】
Ｌ３層の最下部に無線リソース制御（Ｒａｄｉｏ  Ｒｅｓｏｕｒｃｅ  Ｃｏｎｔｒｏｌ：ＲＲＣ）層がある。
【００１９】
前記ＲＲＣ層は、制御プレーンにおいて定義され、無線ベアラ（Ｒａｄｉｏ  Ｂｅａｒｅｒ：ＲＢ）の設定、再設定、及び解除に関連して論理チャネル、トランスポートチャネル、及び物理チャネルを制御する。ここで、ＲＢサービスは、前記ＵＥ２と前記ＵＴＲＡＮ６間のデータ転送のために、第２層Ｌ２により提供されるサービスである。一般に、ＲＢの設定とは、特定サービスを提供するために必要なプロトコル層及びチャネルの特性を規定し、前記サービスのパラメータ及び動作方法を設定することである。
【００２０】
以下、マルチメディアブロードキャスト／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ：  ＭＢＭＳ）について説明する。
【００２１】
前記ＭＢＭＳとは、ダウンリンク専用のＭＢＭＳベアラサービスを使用して複数の端末にストリーミング及びバックグラウンドサービスを提供する方法をいう。１つのＭＢＭＳサービスは、１つ以上のセッションを含み、ＭＢＭＳデータは、セッション中にのみＭＢＭＳ無線ベアラで複数の端末に送信される。
【００２２】
前記ＵＴＲＡＮ１００は、無線ベアラを使用して端末にＭＢＭＳサービスを提供する。前記ＵＴＲＡＮ１００により使用されるＭＢＭＳ無線ベアラは、１対１ＲＢと１対多ＲＢに分類される。前記１対１ＲＢは、双方向ＲＢ（ｂｉ−ｄｉｒｅｃｔｉｏｎａｌ  ＲＢ）であり、論理チャネルとしてＤＴＣＨ（Ｄｅｄｉｃａｔｅｄ  Ｔｒａｆｆｉｃ  Ｃｈａｎｎｅｌ）、トランスポートチャネルとしてＤＣＨ（Ｄｅｄｉｃａｔｅｄ  Ｃｈａｎｎｅｌ）、並びに物理チャネルとしてＤＰＣＨ（Ｄｅｄｉｃａｔｅｄ  Ｐｈｙｓｉｃａｌ  Ｃｈａｎｎｅｌ）もしくはＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を含む。１対多ＲＢは、単方向ダウンリンクＲＢ（ｕｎｉ−ｄｉｒｅｃｔｉｏｎａｌ  ｄｏｗｎｌｉｎｋ  ＲＢ）であり、図３に示すように、論理チャネルとしてＭＴＣＨ（ＭＢＭＳ  Ｔｒａｆｆｉｃ  Ｃｈａｎｎｅｌ）、トランスポートチャネルとしてＦＡＣＨ、及び物理チャネルとしてＳＣＣＰＣＨを含む。前記論理チャネルＭＴＣＨは、各セルに提供されるそれぞれのＭＢＭＳサービスのために設定され、特定ＭＢＭＳサービスのユーザプレーンデータを前記ＵＥ２に伝送するために使用される。
【００２３】
図３の論理チャネルＭＣＣＨ（ＭＢＭＳ  Ｃｏｎｔｒｏｌ  Ｃｈａｎｎｅｌ）は、１対多ダウンリンクチャネルであり、前記ＭＢＭＳに関する制御情報を伝送するために使用される。前記論理チャネルＭＣＣＨは、前記トランスポートチャネルＦＡＣＨにマッピングされ、前記トランスポートチャネルＦＡＣＨは。前記物理チャネルＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）にマッピングされる。１つのＭＣＣＨは、各セルのために存在する。
【００２４】
ＭＢＭＳを提供するＵＴＲＡＮはＭＣＣＨで複数の端末にＭＣＣＨ情報を伝送する。ここで、前記ＭＣＣＨ情報はＭＢＭＳに関するＲＲＣメッセージを含む。例えば、このようなＭＣＣＨ情報は、現在セルとして利用可能な全てのＭＢＭＳサービスを示すサービス情報、１対多ＲＢの設定情報を示すＭＢＭＳ無線ベアラ情報、又は特定ＭＢＭＳサービスのためにＲＲＣ接続が要求されることを示すアクセス情報を含む。
【００２５】
図３は、１対多サービスのためにチャネルマッピングを示す図であり、図４は、制御情報の伝送を示す図である。
【００２６】
図４を参照すると、ＭＣＣＨ情報は、修正周期（ｍｏｄｉｆｉｃａｔｉｏｎ  ｐｅｒｉｏｄ）と繰り返し周期（ｒｅｐｅｔｉｔｉｏｎ  ｐｅｒｉｏｄ）によって周期的に伝送される。前記ＭＣＣＨ情報は、重要（ｃｒｉｔｉｃａｌ）情報と非重要（ｎｏｎ−ｃｒｉｔｉｃａｌ）情報に区分される。前記非重要情報は、修正周期と繰り返し周期毎に自由に修正されて伝送されるが、前記重要情報は、毎修正周期にのみ修正されて伝送される。すなわち、前記重要情報は、繰り返し周期毎に１回繰り返し伝送され、前記修正された重要情報の伝送は、修正周期の初期にのみ可能である。例えば、前記重要情報は、前述したサービス情報と無線ベアラ情報を含み、前記非重要情報は、アクセス情報を含む。前記アクセス情報のみが独自の（ｅｘｃｌｕｓｉｖｅ）周期で伝送される。アクセス情報が伝送される独自の周期をアクセス周期という。前記アクセス周期の長さは、前記繰り返し周期と同一であるか、又は繰り返し周期より短い。前記繰り返し周期は、アクセス周期の倍数で表現され、前記修正周期は、繰り返し周期の倍数で表現される。
【００２７】
修正周期中に変更（更新）されたＭＣＣＨ情報がＭＢＭＳサービスに対応しているか否かを確認（ａｓｓｅｒｔ）するために、前記ＭＣＣＨは、該当修正周期の初期（先頭）に「変更情報」を伝送する。前記変更情報は、前記変更された制御情報に関する少なくとも１つのＭＢＭＳサービス識別子を含む。従って、ＭＣＣＨを受信する端末は、まず前記該当修正周期の初期に伝送された前記変更情報を受信し、前記端末が加入しているＭＢＭＳサービスの識別子が前記変更情報に含まれている場合、前記端末は、該当修正周期中にＭＣＣＨ情報を受信する。前記変更情報は、繰り返し周期毎に伝送されるのではなく、前記該当修正周期の初期にのみ伝送される。
【００２８】
ＵＴＲＡＮは、修正周期にＭＣＣＨ情報が変更されたか否かを通知するために周期的に物理チャネルＭＩＣＨ（ＭＢＭＳ  ｎｏｔｉｆｉｃａｔｉｏｎ  ｉｎｄｉｃａｔｏｒ  ｃｈａｎｎｅｌ）を伝送する。前記ＭＣＣＨ情報の変更は、ＭＣＣＨ情報の特定項目を生成、追加、修正、及び／又は削除することを示す。特定ＭＢＭＳサービスのセッションが開始するとき、ＵＴＲＡＮは、ＭＩＣＨで、特定ＭＢＭＳサービスを受信しようとする端末にＭＣＣＨを受信することを通知するために特定修正周期中にＮＩ（ｎｏｔｉｆｉｃａｔｉｏｎ  ｉｎｄｉｃａｔｏｒ）を伝送する。
【００２９】
ＭＴＣＨを受信しないが１つの特定ＭＢＭＳサービスに加入している端末は、前記ＭＩＣＨで周期的に前記インジケータＮＩを受信する。このような端末は、前記受信されたＮＩが前記特定ＭＢＭＳサービスに関するＭＣＣＨ情報の変更を指示する場合、前記特定修正周期以後の次の修正周期中にＭＣＣＨの変更情報を受信する。前記端末が前記変更情報を受信した後、端末が加入しているＭＢＭＳサービスの識別子が変更情報に含まれている場合、該当修正周期中にＭＣＣＨ情報を続けて受信する。
【００３０】
それに対して、前記ＭＴＣＨを既に受信しており、１つの特定ＭＢＭＳサービスに加入している端末は、修正周期毎に前記変更情報を１回受信する。前記端末が前記変更情報を受信した後、前記端末が加入している前記ＭＢＭＳサービスの識別子が前記変更情報に含まれている場合、前記該当修正周期中にＭＣＣＨ情報を続けて受信する。前記端末が前記以前の修正周期から前記変更情報を周期的に受信するため、この端末は、周期的に前記変更情報のみを受信して端末自身が加入しているサービスに関するＭＣＣＨ情報が更新されたか否かを把握できる。
【００３１】
セル移動（ｔｒａｎｓｉｔｉｏｎ）により、前記以前の修正周期にＭＣＣＨ情報を受信しない端末は、次の修正周期にサービス情報を受信して前記サービスに関するＭＣＣＨ情報が変更されたか否かを把握できる。前述したように、前記変更情報は、前記現在セルに対して現在の修正周期中に修正される前記ＭＣＣＨ情報に関するＭＢＭＳサービスの識別子を指示する。しかし、前記サービス情報は、現在セルにおいて利用できる全てのＭＢＭＳサービスの識別子を指示する。従って、以前にＭＣＣＨ情報を受信していない端末は、現在セルにおいて利用できる全てのＭＢＭＳサービスの状態を判断するためにサービス情報を受信しなければならない。
【００３２】
１対多無線ベアラを利用して特定ＭＢＭＳサービスを受信しようとする端末は、ＭＣＣＨで無線ベアラ情報を含むＭＣＣＨ情報を受信し、前記情報を利用して１対多無線ベアラを端末に設定する。前記端末がこのような１対多無線ベアラを設定した後、ＭＴＣＨがマッピングされた物理チャネルＳＣＣＰＣＨを続けて受信することにより、ＭＴＣＨで伝送される特定ＭＢＭＳサービスデータを取得する。
【００３３】
従来は、以前の修正周期にＭＣＣＨ情報を受信した端末は、次の修正周期には変更情報のみを受信して端末自身が加入しているサービスに関するＭＣＣＨ情報が変更されたか否かを把握できた。それに対して、セル移動などにより以前の修正周期にＭＣＣＨ情報を受信していない端末は、次の修正周期にサービス情報を受信し、ＭＣＣＨ情報が変更されたか否かを把握できる。従って、ＵＴＲＡＮは、１つの修正周期中に変更情報とサービス情報を同時に提供する。
【００３４】
このような変更情報は、現在セルにおいて現在の修正周期中に変更されるＭＣＣＨ情報に関するＭＢＭＳサービス識別子を示し、サービス情報は、現在セルにおいて利用できる全てのＭＢＭＳサービス識別子を示す。従って、現在の修正周期中に変更されるＭＣＣＨ情報に関するＭＢＭＳサービス識別子は、前記変更情報と前記サービス情報において不要に繰り返される。従って、従来の変更情報の伝送方法において、前記ＭＣＣＨの伝送は、資源浪費を引き起こすという問題があった。
【００３５】
また、従来の変更情報は、繰り返し伝送される他のＭＣＣＨ情報とは異なり、修正周期の初期にのみ伝送される。この場合、変更情報の受信の信頼性に問題があり、端末が変更情報を受信できない場合、その後に伝送される全てのＭＣＣＨ情報を受信しなければならないという問題があった。
【発明の開示】
【発明が解決しようとする課題】
【００３６】
従って、本発明は、従来の限界及び不便による１つ以上の問題を実質的に除去する１対多サービスのための制御メッセージの通信に関する。
【００３７】
本発明の目的は、変更情報が非変更情報から分離された１対多サービスのための制御メッセージの通信を提供することにある。
【００３８】
本発明のさらなる長所及び利点は後述する発明の詳細な説明に一部が記述されており、一部は前記説明により明確になるか、又は、本発明の適用により理解されるであろう。本発明の目的と長所は、特に、発明の詳細な説明及び請求の範囲並びに添付図面に開示された構成により実現及び達成される。
【課題を解決するための手段】
【００３９】
本発明の目的を達成するために、一実施形態において、無線通信システムにおける１対多サービスを受信できるＵＥの制御方法は、前記１対多サービスに加入する段階を含む。また、前記方法は、修正された１対多制御情報をネットワークから特定周期中に受信する段階を含み、ここで、１対多制御情報は、前記ネットワークにおいて少なくとも修正された１対多制御情報と修正されていない１対多制御情報に分離される。また、前記方法は、前記修正された１対多制御情報が前記１対多サービスを受信可能にする前記１対多サービスの関連情報を含んでいるか否かを判断する段階を含む。
【００４０】
前記特定周期は、複数のサブ周期（ｓｕｂ−ｐｅｒｉｏｄ）を含む。また、前記特定周期は、修正周期であり、前記サブ周期は、繰り返し周期である。前記修正された１対多制御情報は、変更インジケータ及び前記変更インジケータに関する更新された制御情報を含む。前記変更インジケータは、前記特定周期に修正された１対多サービスのリストを含む。前記修正されていない１対多制御情報は、非変更インジケータ及び前記非変更インジケータに関する更新されていない制御情報を含む。前記非変更インジケータは、前記特定周期に修正されていない１対多サービスのリストを含む。
【００４１】
前記方法は、前記１対多制御情報が以前の特定周期に適切に受信されたか否かを判断する段階をさらに含む。前記方法は、前記１対多制御情報が前記以前の特定周期に適切に受信された場合、前記変更インジケータに基づいて前記特定周期に前記更新された制御情報を受信するか否かを判断する段階をさらに含む。前記方法は、前記１対多制御情報が前記以前の特定周期に適切に受信されなかった場合、前記変更インジケータ及び前記非変更インジケータに基づいて前記特定周期に前記更新された制御情報及び前記更新されていない制御情報を受信するか否かを判断する段階をさらに含む。
【００４２】
前記方法は、前記ネットワークから前記特定周期中に前記修正されていない１対多制御情報を受信する段階をさらに含む。また、前記方法は、前記修正されていない１対多制御情報が前記１対多サービスを受信可能にする前記１対多サービスの関連情報を含んでいるか否かを判断する段階をさらに含む。
【００４３】
前記修正された１対多制御情報は、１対多サービス情報を含み、前記修正されていない１対多制御情報は、１対多サービス情報を含む。
【００４４】
前記方法は、前記修正された１対多制御情報が適切に受信されなかった場合、前記特定周期中に前記修正された１対多制御情報を再び受信する段階をさらに含む。前記方法は、前記修正されていない１対多制御情報が適切に受信されなかった場合、前記特定周期中に前記修正されていない１対多制御情報を再び受信する段階をさらに含む。
【００４５】
前記修正された１対多制御情報は、前記特定周期中に周期的に受信されることも、繰り返し周期毎に１回受信されることもある。前記修正された１対多制御情報は、前記特定周期中に変更されない。前記修正されていない１対多制御情報は、前記特定周期中に周期的に受信される。前記ネットワークは、ＵＴＲＡＮ（ＵＴＭＳ  ｔｅｒｒｅｓｔｒｉａｌ  ｒａｄｉｏ  ｎｅｔｗｏｒｋ）である。前記方法は、前記ＵＥと前記ネットワーク間に１対多サービス接続を設定する段階をさらに含む。
【００４６】
本発明の他の実施形態において、無線通信システムにおいて１対多サービスを受信できるＵＥのネットワークにおける制御方法は、１対多制御情報を少なくとも修正された１対多制御情報と修正されていない１対多制御情報に分離することを含む。また、前記方法は、特定周期中に前記修正された１対多制御情報を周期的に前記ＵＥに伝送することを含む。
【００４７】
このような本発明の他の目的、特徴、態様、及び長所は、添付図面の参照とともに、以下の詳細な説明により明確になる。本発明についての前記一般的な説明と以下の詳細な説明は、単に実施形態を提示して説明をするためのものであり、本発明についての追加的な説明のために記載されたものであることが明白である。
【発明の効果】
【００４８】
本発明は、前記現在の修正周期に変更された変更情報が変更されていない変更情報から分離されるように、無線システム制御メッセージを提供する。前記分離された変更情報は、繰り返し周期毎に伝送され、無線端末は、前記分離された変更情報を受信する。従って、本発明は、ＭＣＣＨ情報に関する変更情報を効率的に、かつ信頼して伝送できる。
【発明を実施するための最良の形態】
【００４９】
以下、添付図面を参照して本発明の好ましい実施形態を説明する。図面の全般にわたって同一であるか、類似した部分には同一の符号が使用される。
【００５０】
図５は、本発明の実施形態による変更情報が非変更情報から分離された制御情報の伝送を示す図である。
【００５１】
図５を参照すると、変更情報と非変更情報は、繰り返し周期毎に１回伝送される。本実施形態において、前記変更情報は、繰り返し周期の初期に伝送され、前記非変更情報は、前記変更情報の以後に伝送される。変更情報及び同一内容（ｃｏｎｔｅｎｔ）の非変更情報は、繰り返し周期中に繰り返し伝送される。前記変更情報及び前記非変更情報の内容は、修正周期の初期に変更できる。従来のサービス情報は伝送されることも、伝送されないこともあった。
【００５２】
それぞれの前記変更情報及び前記非変更情報が伝送される時間に関する情報の伝送は、ＭＣＣＨ（ＭＢＭＳ  ｃｏｎｔｒｏｌ  ｃｈａｎｎｅｌ）のシステム情報により提供される。このようなＭＣＣＨのシステム情報は、前記変更情報の伝送初期と修正周期又は繰り返し周期の初期との間のオフセットを含み、前記非変更情報の伝送初期と修正周期又は繰り返し周期の初期との間のオフセットを含む。
【００５３】
それぞれ変更情報及び非変更情報は、１つ以上のＭＢＭＳ（ｍｕｌｔｉｍｅｄｉａ  ｂｒｏａｄｃａｓｔ／ｍｕｌｔｉｃａｓｔ  ｓｅｒｖｉｃｅ）サービスＩＤを含み、各ＭＢＭＳサービスＩＤに番号表示子（ｖａｌｕｅ  ｔａｇ）が割り当てられる。
【００５４】
前記変更情報に含まれるＭＢＭＳサービスＩＤは、前記ＭＢＭＳサービスＩＤに関連したサービスに関するＭＣＣＨ情報が変更されたことを示す。それに対して、非変更情報に含まれるＭＢＭＳサービスＩＤは、前記ＭＢＭＳサービスＩＤに関連したサービスに関するＭＣＣＨ情報が変更されなかったことを示す。
【００５５】
各ＭＢＭＳサービスＩＤは、少なくとも１つの番号表示子を含む。以前の特定修正周期に前記ＭＢＭＳサービスのために伝送された番号表示子の値が前記現在の修正周期にＭＢＭＳサービスのために伝送された番号表示子の値と異なる場合、ＭＢＭＳサービスのためのＭＣＣＨ情報が変更されたことを意味する。それに対して、以前の特定修正周期にＭＢＭＳサービスのために伝送された番号表示子の値が前記現在の修正周期にＭＢＭＳサービスのために伝送された番号表示子の値と同一である場合、前記ＭＢＭＳサービスのためのＭＣＣＨ情報が変更されなかったことを意味する。
【００５６】
番号表示子は、初期値（ｉｎｉｔｉａｌ  ｖａｌｕｅ）及び最大値を有する定数である。特定ＭＢＭＳサービスのセッションが開始すると、前記サービスのためのＭＣＣＨ情報が特定修正周期中に伝送され、ＵＴＲＡＮは、ＭＢＭＳサービスに該当する番号表示子だけでなく、ＭＢＭＳサービスに該当するＭＢＭＳサービスＩＤを、伝送される前記変更情報に含める。本実施形態において、前記番号表示子の値は初期値に設定される。
【００５７】
前記ＭＢＭＳサービスのためのＭＣＣＨ情報が次の修正周期に変更される場合、前記ＵＴＲＡＮは、一段階増加した値に前記番号表示子の値を設定し、その設定された値を伝送する。前記以前の修正周期の番号表示子の値が最大値であり、前記現在の修正周期の番号表示子の値を増加させなければならない場合、前記ＵＴＲＡＮは、現在の修正周期の番号表示子の値を初期値に設定し、その設定された値を伝送する。
【００５８】
特定ＭＢＭＳサービスのためのＭＣＣＨ情報が修正される場合、前記ＵＴＲＡＮは、特定修正周期からＭＣＣＨ情報を伝送し、ＭＢＭＳサービスに関するＭＢＭＳサービスＩＤを前記特定修正周期中に変更情報に含む。前記ＭＢＭＳサービスＩＤは、前記サービスに関する番号表示子を含む。前記ＵＴＲＡＮは、適切なＭＢＭＳサービスＩＤを前記変更情報に含み、このような変更情報は、前記サービスに関する番号表示子も含む。前記ＵＴＲＡＮは、前記特定修正周期中に、前記サービスのためのＭＩＣＨ（ＭＢＭＳ  ｎｏｔｉｆｉｃａｔｉｏｎ  ｉｎｄｉｃａｔｏｒ  ｃｈａｎｎｅｌ）のＮＩ（ｎｏｔｉｆｉｃａｔｉｏｎ  ｉｎｄｉｃａｔｏｒ）を設定する。前記端末は、前記特定修正周期中に前記ＭＩＣＨを受信し、前記サービスのためのＮＩが前記端末が加入しているサービスに関するＭＣＣＨ情報が変更されたことを指示する場合、前記端末は、前記特定修正周期中にＭＣＣＨを受信するか、又は前記特定修正周期以後の修正周期中にＭＣＣＨを受信することにより、変更情報を取得する。
【００５９】
以下、本発明の好ましい実施形態による端末の動作を２つの態様、すなわち、現在セルにおいて以前の修正周期中に制御情報を受信した端末の動作と、現在セルにおいて前記以前の修正周期中に制御情報を受信していない端末の動作とに区分して説明する。
【００６０】
図６は、本発明の実施形態による以前の修正周期に制御情報を受信したＵＥの動作を示すフローチャートである。
【００６１】
図６に示すように、端末は、端末自身が加入しているサービスのためのＭＣＣＨ情報が前記現在の修正周期が前記以前の修正周期に変更されたか否かを認知する。従って、前記端末は、前記現在の修正周期に非変更情報を受信することなく、変更情報のみを受信し、端末自身が加入しているサービスに関するＭＣＣＨ情報が前記現在の修正周期に変更されたか否かを認知する。
【００６２】
図６を参照して、現在セルにおいて以前の修正周期に制御情報を受信した端末の動作を説明する。
【００６３】
端末は、新しい修正周期の初期繰り返し周期が開始されたことを認知する（Ｓ１１）。また、前記端末は、現在の繰り返し周期に伝送される変更情報を受信する（Ｓ１２）。
【００６４】
前記端末が現在の繰り返し周期に前記変更情報を受信しない場合、次の繰り返し周期の開始（ｂｅｇｉｎｎｉｎｇ）まで変更情報の受信を保留する（Ｓ１３）。それに対して、端末が現在の繰り返し周期に変更情報を受信した場合、前記端末は、前記受信した変更情報を利用して端末自身が加入しているＭＢＭＳサービスに関するＭＣＣＨ情報が現在の修正周期に変更されたか否かを判断する（Ｓ１４）。
【００６５】
前記判断（Ｓ１４）の結果、前記端末が加入しているＭＢＭＳサービスのためのＭＣＣＨ情報が現在の修正周期に変更された場合、前記端末は、前記変更されたＭＣＣＨ情報を前記現在の修正周期中に受信する（Ｓ１５）。前記端末は、変更情報に含まれる前記ＭＢＭＳサービスのための番号表示子を保存する。また、前記端末は、前記受信した前記変更されたＭＣＣＨ情報によって動作を決定する（Ｓ１６）。
【００６６】
前記判断（Ｓ１４）の結果、前記ＭＢＭＳサービスのためのＭＣＣＨ情報が現在の修正周期に変更されなかった場合、前記端末は、次の修正周期の開始までＭＣＣＨの受信を保留する（Ｓ１７）。
【００６７】
前記判断（Ｓ１４）の過程で、端末が加入しているＭＢＭＳサービスに関するＭＢＭＳサービスＩＤが前記受信された変更情報に含まれる場合、前記端末は、前記受信した変更情報に含まれる前記ＭＢＭＳサービスＩＤを利用して現在の修正周期に端末自身が加入しているＭＢＭＳサービスのためのＭＣＣＨ情報が変更されたか否かを判断する。前記端末が加入しているＭＢＭＳサービスに関するＭＢＭＳサービスＩＤが含まれる場合、前記端末は、そのサービスに関するＭＣＣＨ情報が現在の修正周期に変更されたと判断する。それに対して、前記端末が加入しているＭＢＭＳサービスのためのＭＢＭＳサービスＩＤが含まれていない場合、前記端末は、サービスに関するＭＣＣＨ情報が前記現在の修正周期に変更されなかったと判断する。
【００６８】
また、前記判断（Ｓ１４）過程で、前記端末が加入しているＭＢＭＳサービスに関するＭＢＭＳサービスＩＤと番号表示子が前記変更情報に含まれている場合、前記端末は、以前の修正周期に保存したサービスに関する番号表示子と現在の修正周期に受信した変更情報に含まれるサービスに関する番号表示子とを比較する。２つの番号識別子の値が異なる場合、前記端末は、サービスに関するＭＣＣＨ情報が前記現在の修正周期に変更されたと判断する。２つの番号表示子が同一の値を有する場合、前記端末は、サービスに関するＭＣＣＨ情報が前記現在の修正周期に変更されなかったと判断する。この比較の後、前記端末は、以前の修正周期に保存されたサービスに関する前記番号表示子を除去し、現在の修正周期に端末が受信した変更情報に含まれるサービスに関する前記番号表示子を保存する。また、この過程で、以前の修正周期に端末が保存した前記サービスに関する番号表示子が存在しない場合、前記端末は、現在の修正周期に受信した変更情報に含まれるサービスに関する前記番号表示子を保存し、前記サービスに関するＭＣＣＨ情報が現在の修正周期に変更されたと判断する。
【００６９】
図７は、本発明の他の実施形態による以前の修正周期に制御情報を受信していないＵＥの動作を示すフローチャートである。
【００７０】
図７に示すように、端末が以前の修正周期に制御情報を受信しなかったため、前記端末は、以前の修正周期に端末自身が加入しているサービスに関するＭＣＣＨ情報が変更されたか否かを認知できない。例えば、前記端末が以前セルから現在セルに移動したり、前記端末が現在セルにおいてＭＢＭＳサービスを開始した場合である。従って、前記端末は、現在の修正周期に変更情報と非変更情報を両方とも受信することにより、前記端末が加入しているサービスに関するＭＣＣＨ情報が現在の修正周期に変更されたか否かを認知する。
【００７１】
以下、図７を参照して、現在セルにおいて以前の修正周期を受信していない端末の動作を説明する。
【００７２】
前記端末は、新しい修正周期の初期繰り返し周期が開始したことを認知する（Ｓ２１）。また、前記端末は、前記現在の繰り返し周期に伝送される変更情報と非変更情報の受信を試みる（Ｓ２２）。前記端末が現在の繰り返し周期に変更情報又は非変更情報を受信するか否かによって端末の動作は異なる。
【００７３】
前記端末が現在の繰り返し周期に変更情報又は非変更情報を受信しなかった場合、前記端末は、次の繰り返し周期の開始まで変更情報と非変更情報の受信を保留する（Ｓ２３）。しかし、前記端末が現在の繰り返し周期に変更情報又は非変更情報を受信した場合、前記端末は、受信した変更情報及び／又は非変更情報を利用して現在端末自身が加入しているＭＢＭＳサービスに関するＭＣＣＨ情報が現在の修正周期に変更されたか否かを判断する（Ｓ２４）。
【００７４】
前記判断（Ｓ２４）の結果、前記現在端末が加入しているＭＢＭＳサービスに関するＭＣＣＨ情報が現在の修正周期に変更された場合、前記端末は、前記変更されたＭＣＣＨ情報を現在の修正周期中に受信する（Ｓ２５）。また、前記端末は、端末自身が加入しているＭＢＭＳサービスに関する番号表示子を保存する。前記番号表示子は、前記変更情報に含まれる。
【００７５】
前記受信（Ｓ２５）の過程で、前記端末が変更情報及び非変更情報を両方とも受信する場合、前記端末は、動作過程Ｓ２８及びＳ２９を行う（Ｓ２６）。それに対して、前記端末が変更情報及び／又は非変更情報を受信しなかった場合、前記端末は、次の繰り返し周期の開始まで変更情報及び非変更情報の受信を保留する。
【００７６】
判断（Ｓ２４）の結果、前記端末が加入しているＭＢＭＳサービスに関するＭＣＣＨ情報が現在の修正周期に変更されない場合、前記端末は、現在の修正周期に変更情報及び非変更情報が両方とも受信されたか否かを確認する（Ｓ２７）。前記端末が現在の修正周期に変更情報及び非変更情報を両方とも受信する場合、前記端末は、現在の修正周期に受信した前記変更されたＭＣＣＨ情報によって端末自身の動作を決定する（Ｓ２８）。その後、前記端末は、次の修正周期の開始までＭＣＣＨ受信を保留する（Ｓ２９）。その後、前記端末は、次の修正周期が開始すると、図６に示すように動作する。
【００７７】
しかし、前記受信（Ｓ２７）の確認結果、前記端末が変更情報及び非変更情報を両方とも受信していない場合、前記端末は、次の繰り返し周期の開始まで変更情報及び非変更情報の受信を保留する（Ｓ３０）。
【００７８】
前記判断（Ｓ２４）の過程で、前記端末は、現在の修正周期に受信した変更情報に含まれるＭＢＭＳサービスＩＤ、現在の修正周期に受信した非変更情報に含まれるＭＢＭＳサービスＩＤ、及び番号表示子を利用することにより、端末自身が加入しているＭＢＭＳサービスに関するＭＣＣＨ情報が現在の修正周期に変更されたか否かを判断する。
【００７９】
前記端末が加入しているＭＢＭＳサービスに関するＭＢＭＳサービスＩＤが前記変更情報に含まれる場合、前記端末は、前記サービスに関するＭＣＣＨ情報が現在の修正周期に変更されたと判断する。それに対して、前記端末が加入しているＭＢＭＳサービスに関するＭＢＭＳサービスＩＤが前記変更情報に含まれていない場合、前記端末は、前記サービスに関するＭＣＣＨ情報が現在の修正周期に変更されなかったと判断する。
【００８０】
前記判断（Ｓ２４）の過程で、前記端末が加入しているＭＢＭＳサービスに関するＭＢＭＳサービスＩＤ及び番号表示子が前記変更情報に含まれる場合、前記端末は、以前の修正周期に保存した前記サービスに関する番号表示子と、現在の修正周期に受信した変更情報に含まれる前記サービスに関する番号表示子とを比較する。２つの番号表示子の値が異なる場合、前記端末は、前記サービスに関するＭＣＣＨ情報が現在の修正周期に変更されたと判断する。２つの番号表示子が同一の値を有する場合、前記端末は、前記サービスに関するＭＣＣＨ情報が現在の修正周期に変更されなかったと判断する。比較の後、前記端末は、以前の修正周期に保存した前記サービスに関する番号表示子を除去し、前記端末が現在の修正周期に受信した変更情報に含まれる前記サービスに関する前記番号表示子を保存する。このような過程で、前記端末が前記以前の修正周期に保存したサービスに関する番号表示子が存在しない場合、前記端末は、現在の修正周期に受信した変更情報に含まれる前記サービスに関する番号表示子を保存し、前記サービスに関するＭＣＣＨ情報が前記現在の修正周期に変更されたと判断する。
【００８１】
前記端末が加入しているＭＢＭＳサービスに関するＭＢＭＳサービスＩＤ及び番号表示子が前記非変更情報に含まれる場合、前記端末は、以前の修正周期に保存した前記サービスに関する番号表示子と、現在の修正周期に受信した変更情報に含まれる前記サービスに関する番号表示子とを比較する。２つの番号表示子の値が異なる場合、前記端末は、前記サービスに関するＭＣＣＨ情報が現在の修正周期に変更されたと判断する。２つの番号表示子の値が同一である場合、前記端末は、前記サービスに関するＭＣＣＨ情報が現在の修正周期に変更されなかったと判断する。比較の後、前記端末は、以前の修正周期に保存した前記サービスに関する番号表示子を除去し、端末が現在の修正周期に受信した変更情報に含まれる前記サービスに関する前記番号表示子を保存する。このような過程で、前記端末が前記以前の修正周期に保存したサービスに関する番号表示子が存在しない場合、前記端末は、現在の修正周期に受信した変更情報に含まれる前記サービスに関する番号表示子を保存し、前記サービスに関するＭＣＣＨ情報が前記現在の修正周期に変更されたと判断する。
【００８２】
図８は、本発明の他の実施形態による変更情報が非変更情報から分離された制御情報の伝送を示す図である。
【００８３】
図８に示すように、変更情報は、繰り返し周期毎に１回繰り返し伝送される。本実施形態において、前記変更情報は、各繰り返し周期の初期に伝送される。１つの繰り返し周期内の同一内容の変更情報は、繰り返し周期毎に伝送される。変更情報の内容は、修正周期が開始すると修正される。前記非変更情報は、伝送されることも、伝送されないこともある。従来のサービス情報も伝送される。
【００８４】
前記現在の修正周期に、前記変更情報は、少なくとも１つの以前の修正周期に関する変更情報を含む。前記少なくとも１つの以前の修正周期に関する前記変更情報は、それぞれ１つの番号表示子を有する１つ以上のＭＢＭＳサービスＩＤを含む。番号表示子は、１つ以上のサービスに関するＭＣＣＨ情報が変更される特定修正周期を示す。前記番号表示子に連結されるＭＢＭＳサービスＩＤは、前記特定修正周期中に該当ＭＢＭＳサービスに関するＭＣＣＨ情報が変更されたことを示す。
【００８５】
例えば、前記現在の修正周期が＃ｎ−１であり、番号表示子が＃ｍ＋２であり、前記現在の修正周期中にＭＢＭＳサービス＃５及び＃１７に関するそれぞれのＭＣＣＨ情報が修正されると仮定すると、前記修正周期＃ｎ−１に関する変更情報は、表１のように構成される。最後の番号表示子ｍ＋２は、最新番号表示子という。
【００８６】
【表１】
2008517483.tif 000003
また、次の修正周期＃ｎに、最後の番号表示子が＃ｍ＋３であり、修正周期＃ｎ中にＭＢＭＳサービス＃８、＃１７、及び＃３３に関するＭＣＣＨ情報が修正されると仮定すると、修正周期＃ｎに関する変更情報は、表２のように構成される。
【００８７】
【表２】
2008517483.tif 000004
現在の修正周期に関する変更情報は、現在の修正周期に変更されるサービスリストが以前の修正周期の変更情報の内容に追加される方式で構成される。また、現在の修正周期の変更情報は、以前の修正周期の変更情報の内容に該当することもある。
【００８８】
また、次の修正周期＃ｎ＋１に更新ＭＣＣＨ情報が存在しない場合、前記修正周期＃ｎ＋１に関する変更情報は、前記修正周期＃ｎに関する変更情報と同一に構成して伝送される。すなわち、修正周期＃ｎ＋１に更新ＭＣＣＨ情報が存在しない場合、修正周期＃ｎ＋１に関する変更情報は、表２のとおりである。従って、特定修正周期に更新ＭＣＣＨ情報が存在しない場合、変更情報は修正されない。他の実施形態においては、次の修正周期＃ｎ＋１に更新ＭＣＣＨ情報が存在しない場合も、変更情報は修正されるが、このとき、修正周期＃ｎ＋１に関する変更情報は、表３のように構成して伝送される。
【００８９】
【表３】
2008517483.tif 000005
表３において、最新番号表示子は＃ｍ＋４であり、番号表示子が＃ｍ＋３から＃ｍ＋４に変更される間、ＭＣＣＨ情報は変更される。
【００９０】
他の例において、修正周期＃ｎ＋１に関する変更情報が表３と同一であり、次の修正周期＃ｎ＋２にＭＢＭＳサービス＃１４に関するＭＣＣＨ情報が修正されると仮定すると、修正周期＃ｎに関する変更情報は、表４のように構成される。ここで、最新番号表示子は＃ｍ＋５である。
【００９１】
【表４】
2008517483.tif 000006
さらに、以前の修正周期の記録部分が表５のように構成されるように、現在の修正周期の変更情報構成を構成することができる。表５に示すように、特定時点に関する番号表示子（表５の＃ｍ＋４）と、以前の時点に関する番号表示子（表５の＃ｍ＋１）との間のＭＢＭＳサービスＩＤは統合できる。ここで、前記２つの番号表示子（表５の＃ｍ＋４と＃ｍ＋１）間の番号表示子は、変更情報に表示されない。
【００９２】
【表５】
2008517483.tif 000007
前記ＵＴＲＡＮにおいて、特定ＭＢＭＳサービスに関するＭＣＣＨ情報が修正されると、前記ＵＴＲＡＮは、特定修正周期に関するＭＣＣＨ情報を伝送し、前記サービスに関するＭＢＭＳサービスＩＤを前記特定修正周期に関する変更情報に含める。また、前記ＵＴＲＡＮは、前記特定修正周期中に前記サービスのためのＭＩＣＨのＮＩを設定する。前記端末は、前記特定修正周期中にＭＩＣＨを受信し、前記サービスのためのＮＩが前記サービスに関するＭＣＣＨ情報の修正を指示する場合、前記特定修正周期中にＭＣＣＨを受信して変更情報を取得するが、例えば、前記特定修正周期以後の次の修正周期中にＭＣＣＨを受信して変更情報を取得する。
【００９３】
図９は、図８を参照して記載された実施形態によるＵＥの動作を示すフローチャートである。
【００９４】
図９に示すように、端末が以前の修正周期に制御情報を受信すると仮定すると、前記端末は、以前の修正周期に端末自身が加入しているサービスに関するＭＣＣＨ情報が変更されているか否かを認知する。従って、前記端末は、現在の修正周期に非変更情報を受信することなく、変更情報のみを受信することで、現在の修正周期に前記サービスに関するＭＣＣＨ情報を変更するか否かを把握できる。
【００９５】
図９を参照して本発明の好ましい実施形態による端末の動作を説明する。
【００９６】
前記端末は、新しい修正周期の初期繰り返し周期が開始したことを認知する（Ｓ３１）。また、前記端末は、現在の繰り返し周期に伝送される変更情報を受信する（Ｓ３２）。
【００９７】
現在、繰り返し周期に変更情報を受信していない場合、前記端末は、次の繰り返し周期の開始まで変更情報の受信を保留する（Ｓ３３）。現在、繰り返し周期に変更情報を受信する場合、前記端末は、現在セルに関する番号表示子が保存されているか否かを判断する（Ｓ３４）。
【００９８】
前記判断（Ｓ３４）の結果、端末が現在セルに関する番号表示子を保存していない場合、前記端末は、受信した変更情報に含まれる全てのＭＢＭＳサービスＩＤ、すなわち、以前の修正周期及び現在の修正周期に関するＭＢＭＳサービスＩＤのうち端末自身が加入しているサービスに該当するＭＢＭＳサービスＩＤが存在するか否かを調査する。
【００９９】
また、調査（Ｓ３５）の過程で、端末自身が加入しているサービスに該当するＭＢＭＳサービスＩＤが見つからなかった場合、前記端末は、現在変更情報内の番号表示子のうち最新の番号表示子を保存し、次の修正周期の開始までＭＣＣＨ受信を保留する（Ｓ３６）。
【０１００】
それに対して、調査（Ｓ３５）の過程で、端末自身が加入しているサービスに該当するＭＢＭＳサービスＩＤが見つかった場合、前記端末は、現在変更情報内の番号表示子のうち最新の番号表示子を保存し、前記加入しているサービスに関するＭＣＣＨ情報を受信する（Ｓ３７）。その後、前記端末は、端末自身が受信した前記変更されたＭＣＣＨ情報によって動作を決定する（Ｓ３８）。
【０１０１】
前記判断（Ｓ３４）の結果、前記端末が現在セルに関する番号表示子を保存する場合、前記端末は、保存している番号表示子と受信した変更情報内の最新の番号表示子間に含まれる全てのＭＢＭＳサービスＩＤのうち端末自身が加入しているサービスに該当するＭＢＭＳサービスＩＤが存在するか否かを調査する（Ｓ３９）。調査（Ｓ３９）の過程で、前記加入しているサービスに該当するＭＢＭＳサービスＩＤが見つからなかった場合、前記端末は、現在変更情報内の番号表示子のうち最新の番号表示子を保存し、次の修正周期の開始までＭＣＣＨ受信を保留する（Ｓ４０）。
【０１０２】
しかし、前記調査（Ｓ３９）の過程で、前記加入しているサービスに該当するＭＢＭＳサービスＩＤが見つかった場合、前記端末は、現在変更情報内の番号表示子のうち最新の番号表示子を保存し、前記加入しているサービスに関するＭＣＣＨ情報を受信する（Ｓ３７）。その後、前記端末は、前記受信した変更ＭＣＣＨ情報によって端末自身の動作を決定する（Ｓ３８）。
【０１０３】
以下、本発明の好ましい実施形態による更新ＭＣＣＨ情報及び非更新ＭＣＣＨ情報の伝送方式について説明する。
【０１０４】
図１０は、本発明のさらに他の実施形態による変更情報が非変更情報から分離された制御情報の伝送を示す図である。すなわち、ＭＣＣＨ情報は、現在の修正周期に変更（更新）される更新ＭＣＣＨ情報と現在の修正周期に変更（更新）されない非更新ＭＣＣＨ情報とに区分され、それぞれ変更情報及び非変更情報は、繰り返し周期毎に伝送される。
【０１０５】
図１０を参照すると、情報は繰り返し周期に伝送されるが、変更情報が非変更情報の前に伝送される。その後、更新ＭＣＣＨ情報と非更新ＭＣＣＨ情報が伝送される。一実施形態においては、非変更情報が伝送されない。
【０１０６】
前記更新ＭＣＣＨ情報が伝送される時点に関するスケジューリング情報は、前記変更情報に含まれる。また、非更新ＭＣＣＨ情報が伝送される時点に関するスケジューリング情報は、前記非変更情報に含まれる。一実施形態において、前記変更情報は、更新ＭＣＣＨ情報の伝送開始と修正周期又は繰り返し周期の開始との間のオフセットを含み、前記非変更情報は、非変更情報の伝送開始と修正周期又は繰り返し周期の開始との間のオフセットを含む。
【０１０７】
他の実施形態において、更新ＭＣＣＨ情報及び非更新ＭＣＣＨ情報は、ＢＣＣＨのシステム情報により伝送できる。前記実施形態において、ＢＣＣＨのシステム情報は、更新ＭＣＣＨ情報の伝送開始と修正周期又は繰り返し周期の開始との間のオフセットを含む。前記システム情報は、非更新ＭＣＣＨ情報の伝送開始と修正周期又は繰り返し周期の開始との間のオフセットも含む。
【０１０８】
従って、前記端末は、変更情報及び非変更情報を受信するか、又はＢＣＣＨのシステム情報を受信することにより、更新ＭＣＣＨ情報及び非更新ＭＣＣＨ情報が伝送される時点を把握し、前記修正周期又は繰り返し周期の初期に変更情報及び／又は非変更情報を受信する。
【０１０９】
前記更新ＭＣＣＨ情報は、１つ以上のＭＢＭＳサービスＩＤを含む。前記更新ＭＣＣＨ情報に含まれるＭＢＭＳサービスＩＤは、該当ＭＢＭＳサービスに関する情報が現在の修正周期に更新されることを通知する。また、前記更新ＭＣＣＨ情報は、該当ＭＢＭＳサービスに関するＭＣＣＨ情報を含む。
【０１１０】
前記更新ＭＣＣＨ情報がＭＢＭＳサービスＩＤを含まない場合、前記更新ＭＣＣＨ情報に含まれる情報は、変更情報内に配列されるＭＢＭＳサービスＩＤの順序で伝送される。例えば、前記変更情報にＭＢＭＳサービスＩＤ＃３、＃７、＃２０が順に配列されている場合、前記更新ＭＣＣＨ情報は、その順序通りにＭＢＭＳサービス＃３の情報、ＭＢＭＳサービス＃７の情報、ＭＢＭＳサービス＃２０の情報を配列する。従って、前記端末は、前記変更情報を受信し、前記更新ＭＣＣＨ情報にＭＢＭＳサービスＩＤが含まれていない場合も、特定サービスに関する情報を判断できる。
【０１１１】
前記非更新ＭＣＣＨ情報は、１つ以上のＭＢＭＳサービスＩＤを含む。前記非変更ＭＣＣＨ情報に含まれるＭＢＭＳサービスＩＤは、該当ＭＢＭＳサービスの情報が現在の修正周期に更新されないことを通知する。また、非更新ＭＣＣＨ情報は、前記該当ＭＢＭＳサービスに関するＭＣＣＨ情報を含む。
【０１１２】
前記非更新ＭＣＣＨ情報が前記ＭＢＭＳサービスＩＤを含まない場合、前記非更新ＭＣＣＨ情報に含まれる情報は、非変更情報に配列されるＭＢＭＳサービスＩＤの順序で伝送される。例えば、非変更情報にＭＢＭＳサービスＩＤ＃１０、＃２１が順に配列されている場合、非更新ＭＣＣＨ情報は、その順序通りにＭＢＭＳサービス＃１０に関する情報とＭＢＭＳサービス＃２１に関する情報を配列する。従って、前記端末は、前記非変更情報を受信し、非更新ＭＣＣＨ情報にＭＢＭＳサービスＩＤが含まれていない場合も、特定サービスに関する情報を判断できる。
【０１１３】
ＭＢＭＳサービスのためのＭＣＣＨ情報は、更新ＭＣＣＨ情報又は非更新ＭＣＣＨ情報に含まれる。従って、前記ＭＢＭＳサービスに関するＭＣＣＨ情報が更新された場合、そのＭＣＣＨ情報は、更新ＭＣＣＨ情報にのみ含まれる。しかし、前記ＭＢＭＳサービスのためのＭＣＣＨ情報が更新されなかった場合、そのＭＣＣＨ情報は、非更新ＭＣＣＨ情報にのみ含まれる。
【０１１４】
更新ＭＣＣＨ情報及び非更新ＭＣＣＨ情報は、それぞれＲＲＣメッセージで送信される。また、更新ＭＣＣＨ情報又は非更新ＭＣＣＨ情報内の情報は、１つ以上のＲＲＣメッセージに分けられる。更新ＭＣＣＨ情報又は非更新ＭＣＣＨ情報が異なるＭＢＭＳサービスの情報に関連したＲＲＣメッセージに分けられる場合、前記更新ＭＣＣＨ情報又は非更新ＭＣＣＨ情報内の異なるＭＢＭＳサービスの情報は、前述した順序通りに異なるＲＲＣメッセージに分けられて伝送される。
【０１１５】
以下、本発明の好ましい実施形態により、端末がＭＣＣＨ情報（更新ＭＣＣＨ情報又は非更新ＭＣＣＨ情報）を受信することに関して説明する。
【０１１６】
図１１は、本発明の他の実施形態による以前の修正周期に制御情報を受信したＵＥの動作を示すフローチャートである。
【０１１７】
図１１を参照すると、端末は、新しい修正周期に伝送される変更情報を受信する（Ｓ５１）。その後、前記端末は、端末自身が加入しているサービスに関するＭＣＣＨ情報が現在の修正周期に変更されたか否かを判断する（Ｓ５２）。前記判断（Ｓ５２）は、前記変更情報を利用して行われる。前記端末が加入しているサービスに関するＭＣＣＨ情報が現在の修正周期に変更されなかった場合、前記端末は、新しい修正周期まで前記ＭＣＣＨ情報の受信を保留する。
【０１１８】
それに対して、前記端末が加入しているサービスに関するＭＣＣＨ情報が変更された場合、前記端末は、前述したように前記変更情報を利用して更新ＭＣＣＨ情報を受信し、その内容を取得する（Ｓ５３）。
【０１１９】
図１２は、本発明の他の実施形態による以前の修正周期に制御情報を受信していないＵＥの動作を示すフローチャートである。
【０１２０】
図１２を参照すると、端末は新しい修正周期に伝送される変更情報及び／又は非変更情報を受信する（Ｓ６１）。その後、前記端末は、端末自身が加入しているサービスに関するＭＣＣＨ情報を現在の修正周期に受信するか否かを判断する（Ｓ６２）。前記端末は、前記受信した変更情報が端末自身の加入しているサービスに関するＭＣＣＨ情報が変更されたことを示す場合、現在の修正周期に更新ＭＣＣＨ情報を受信すると決定する。また、前記受信した非変更情報に含まれる番号表示子が端末が保存している番号表示子と異なる場合、現在の修正周期に非更新ＭＣＣＨ情報を受信すると判断する。前記非変更情報が伝送されない場合、前記端末は、現在の修正周期に非更新ＭＣＣＨ情報を受信すると決定する。
【０１２１】
前記判断（Ｓ６２）の過程で、前記端末が更新ＭＣＣＨ情報及び非更新ＭＣＣＨ情報を現在の修正周期に受信しないと判断した場合、前記端末は、新しい修正周期までＭＣＣＨ情報の受信を保留する。それに対して、更新ＭＣＣＨ情報及び非更新ＭＣＣＨ情報を現在の修正周期に受信すると決定する場合、前記端末は、前記判断によって更新ＭＣＣＨ情報及び／又は非更新ＭＣＣＨ情報を受信する（Ｓ６２）。
【０１２２】
前記ＵＴＲＡＮは、変更情報、非変更情報、更新ＭＣＣＨ情報、及び非更新ＭＣＣＨ情報以外に、共通ＭＣＣＨ情報（Ｃｏｍｍｏｎ  ＭＣＣＨ  Ｉｎｆｏｒｍａｔｉｏｎ）を繰り返し周期毎に１回伝送する。前記共通ＭＣＣＨ情報は、特定のサービスに関連しない、すなわち、全てのサービス（例えば、無線ベアラ既設定構成情報（ｒａｄｉｏ  ｂｅａｒｅｒ  ｐｒｅｄｅｆｉｎｅｄ  ｃｏｎｆｉｇｕｒａｔｉｏｎ  ｉｎｆｏｒｍａｔｉｏｎ））に共通するＭＣＣＨ情報から構成される。共通ＭＣＣＨ情報において、同一修正周期内には同一の情報が繰り返し伝送される。このような共通ＭＣＣＨ情報は、以後の修正周期に修正される。
【０１２３】
前記端末は、特定修正周期に関する変更情報が共通ＭＣＣＨ情報の修正を示すと、前記共通ＭＣＣＨ情報を受信する。それに対して、特定修正周期に関する非変更情報が共通ＭＣＣＨ情報の非修正を示すと、以前に共通ＭＣＣＨ情報を受信した端末は、前記現在共通ＭＣＣＨ情報を受信せず、以前に共通ＭＣＣＨ情報を受信していない端末は、前記現在共通ＭＣＣＨ情報を受信する。
【０１２４】
前記変更情報及び非変更情報は、それぞれ共通ＭＣＣＨ情報に関する共通番号表示子を含み、前記端末は、現在の修正周期に関する共通番号表示子と以前の修正周期に関する共通番号表示子とを比較し、その値が異なる場合、該当修正周期に前記共通ＭＣＣＨ情報が修正されたと把握する。それに対して、共通番号表示子の値が同一である場合、該当修正周期に前記共通ＭＣＣＨ情報が修正されなかったと把握する。共通番号表示子の運用は、前述した番号表示子の運用に類似する。
【０１２５】
前記番号表示子及び共通番号表示子は、独立したセルに対するインジケータとして運用されるか、又は複数のセルに対する共用インジケータ（ｃｏｍｍｏｎ  ｉｎｄｉｃａｔｏｒ）として運用される。前期番号表示子及び共通番号表示子が独立したセルに対するインジケータとして運用される場合、前記端末は、以前セルにおいて保存されたインジケータと、現在セルにおいて伝送されたインジケータとを比較することにより、現在セルの番号表示子が変更されたか否かを判断することはできない。従って、セル移動時に、前記端末は、以前セルにおいて保存された前記インジケータを除去する。それに対して、前記番号表示子及び共通番号表示子が共用インジケータとして運用される場合、前記端末は、以前セルにおいて保存されたインジケータと、現在セルにおいて伝送されたインジケータとを比較することにより、現在セルの番号表示子が更新されたか否かを判断できる。従って、セル移動時にも、前記端末は、前記以前セルにおいて保存されたインジケータを保存する。
【０１２６】
一実施形態において、無線通信システムにおいて１対多サービスを受信できるＵＥの制御方法は、前記１対多サービスに加入する段階を含む。また、前記方法は、修正された１対多制御情報を前記ネットワークから特定周期中に受信する段階を含み、ここで、１対多制御情報は、ネットワークにおいて少なくとも修正された１対多制御情報と修正されていない１対多制御情報とに分離されることを特徴とする。また、前記方法は、前記修正された１対多制御情報が１対多サービスを受信可能にする１対多サービス関連情報を含んでいるか否かを判断する段階を含む。
【０１２７】
前記特定周期は、複数のサブ周期を含む。また、前記特定周期は、修正周期であり、前記サブ周期は、繰り返し周期である。前記修正された１対多制御情報は、変更インジケータ及び前記変更インジケータに関する更新された制御情報を含む。前記変更インジケータは、前記特定周期に修正された１対多サービスのリストを含む。前記修正されていない１対多制御情報は、非変更インジケータ及び前記非変更インジケータに関する更新されていない制御情報を含む。このような非変更インジケータは、前記特定周期に修正されていない１対多サービスのリストを含む。
【０１２８】
前記方法は、以前特定周期に１対多制御情報を適切に受信したか否かを判断する段階をさらに含む。前記方法は、前記１対多制御情報が前記以前特定周期に適切に受信された場合、前記変更インジケータに基づいて前記特定周期に前記更新された制御情報を受信するか否かを判断する段階をさらに含む。前記方法は、１対多制御情報が前記以前特定周期に適切に受信されなかった場合、前記変更インジケータ及び前記非変更インジケータに基づいて前記特定周期に前記更新された制御情報と前記更新されていない制御情報を受信するか否かを判断する段階をさらに含む。
【０１２９】
前記方法は、前記ネットワークから前記特定周期中に前記修正されていない１対多制御情報を受信する段階をさらに含む。また、前記方法は、前記修正されていない１対多制御情報が１対多サービスを受信可能にする１対多サービス関連情報を含んでいるか否かを判断する段階をさらに含む。
【０１３０】
前記修正された１対多制御情報は、１対多サービス情報を含み、前記修正されていない１対多制御情報も、１対多サービス情報を含む。
【０１３１】
前記方法は、前記修正された１対多制御情報を適切に受信していない場合、前記特定周期中に前記修正された１対多制御情報を再び受信する段階をさらに含む。前記方法は、前記修正されていない１対多制御情報を適切に受信していない場合、前記特定周期中に前記修正されていない１対多制御情報を再び受信する段階をさらに含む。
【０１３２】
前記修正された１対多制御情報は、前記特定周期中に周期的に受信され、また繰り返し周期毎に１回受信される。前記修正された１対多制御情報は、前記特定周期中に変更されない。前記修正されていない１対多制御情報は、前記特定周期中に周期的に受信される。前記ネットワークは、ＵＴＲＡＮである。前記方法は、ＵＥとネットワーク間に１対多サービスの接続を設定する段階をさらに含む。
【０１３３】
他の実施形態において、無線通信システムにおいて１対多サービスを受信できるＵＥのネットワークにおける制御方法は、１対多制御情報を少なくとも修正された１対多制御情報と修正されていない１対多制御情報に分ける段階を含む。前記方法は、また、特定周期中に前記修正された１対多制御情報を周期的に前記ＵＥに伝送する段階を含む。
【０１３４】
本発明において使用された端末はＵＥである。
【０１３５】
この発明の要旨を逸脱しない範囲で多様な変更及び変形が可能であることは当該技術分野における通常の知識を有する者であれば明白である。従って、本発明は、添付の特許請求の範囲及びその同等物の範囲内で提供される多様な変更及び変形を含む。
【図面の簡単な説明】
【０１３６】
発明の理解を容易にするために添付され、本明細書の一部を構成する図面は、発明の多様な実施形態を示し、明細書と共に発明の原理を説明するためのものである。
【図１】ＵＭＴＳのネットワーク構造を示すブロック図である。
【図２】前記ＵＭＴＳで使用される無線プロトコルアーキテクチャを示す図である。
【図３】１対多サービスのためのチャネルマッピングを示す図である。
【図４】制御情報の伝送を示す図である。
【図５】本発明の実施形態による変更情報が非変更情報から分離された制御情報の伝送を示す図である。
【図６】本発明の実施形態による以前の修正周期に制御情報を受信したＵＥの動作を示すフローチャートである。
【図７】本発明の他の実施形態による以前の修正周期に制御情報を受信していないＵＥの動作を示すフローチャートである。
【図８】本発明の他の実施形態による変更情報が非変更情報から分離された制御情報の伝送を示す図である。
【図９】図８を参照して記載された実施形態によるＵＥの動作を示すフローチャートである。
【図１０】本発明のさらに他の実施形態による変更情報が非変更情報から分離された制御情報の伝送を示す図である。
【図１１】本発明の他の実施形態による以前の修正周期に制御情報を受信したＵＥの動作を示すフローチャートである。
【図１２】本発明の他の実施形態による以前の修正周期に制御情報を受信していないＵＥの動作を示すフローチャートである。
【図１】
2008517483.tif 000008
【図２】
2008517483.tif 000009
【図３】
2008517483.tif 000010
【図４】
2008517483.tif 000011
【図５】
2008517483.tif 000012
【図６】
2008517483.tif 000013
【図７】
2008517483.tif 000014
【図８】
2008517483.tif 000015
【図９】
2008517483.tif 000016
【図１０】
2008517483.tif 000017
【図１１】
2008517483.tif 000018
【図１２】
2008517483.tif 000019
【国際調査報告】
2008517483.tif 000020
2008517483.tif 000021
2008517483.tif 000022